【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
煎出システムであって、前記煎出システムは、カートリッジを受け取り、かつ、流体を前記カートリッジに注入することにより飲料を煎出するように適合させられ、前記煎出システムは、
前記流体をポンプ送出するように適合させられた第１のポンプと、
前記第１のポンプに流体的に結合された第１の煎出チャンバであって、前記第１の煎出チャンバは、前記カートリッジを受け取って前記流体を前記カートリッジに注入するように適合させられる、第１の煎出チャンバと、
第１の端部および第２の端部を有する第１の管であって、前記第１の端部は、前記第１のポンプに結合され、前記第１の管の前記第２の端部は、その中に前記流体を引き込むように適合させられる、第１の管と、
前記第１の管の一部分に結合された第１のスイッチであって、前記第１のスイッチは、第１の位置と第２の位置との間で移動可能であり、前記第１の位置では、前記第１の管の前記一部分は、雰囲気に対して閉鎖され、それによって、前記ポンプがオンであるときに、前記流体は、前記第１の管の前記第２の端部に引き込まれ、前記第２の位置では、前記第１の管の前記一部分は、前記雰囲気に対して開放され、それによって、前記ポンプがオンであるときに、空気が、前記第１の管の前記一部分に進入し、前記第１のポンプは、前記空気を前記第１の煎出チャンバに渡す、第１のスイッチと
を含む、煎出システム。
【請求項２】
前記煎出システムは、第１の端部から第２の端部までの経路に沿って流動する前記流体を加熱するように適合させられた加熱要素を含み、前記経路の前記第１の端部は、前記第１のポンプに流体的に結合され、前記経路の前記第２の端部は、前記煎出チャンバに流体的に結合される、請求項１に記載の煎出システム。
【請求項３】
加熱要素は、管ヒータである、請求項１〜２のいずれか１項に記載の煎出システム。
【請求項４】
貯留部は、前記煎出システムが使用中であるときに垂直軸に沿って最大充填ラインまで前記流体を保持するように適合させられ、前記第１の管の前記一部分は、前記垂直軸に沿って前記最大充填ラインの上方に位置する、請求項１〜３のいずれか１項に記載の煎出システム。
【請求項５】
前記煎出システムは、加熱要素の第１の端部に進入する前記流体の温度を監視するように適合させられた温度センサに通信可能に結合されたプロセッサを含み、前記プロセッサは、前記加熱要素の第２の端部から退出する前記流体の前記温度が実質的に所定の範囲内であるように、前記加熱要素の前記第１の端部に進入する前記温度に応じて、前記第１のポンプの速度を調整するように前記第１のポンプに通信可能に結合される、請求項１〜４のいずれか１項に記載の煎出システム。
【請求項６】
前記煎出システムは、
開口部を有するヒートタンクであって、前記開口部は、空気が前記開口部を通過することを可能にし、前記ヒートタンクは、前記ヒートタンクの中の前記流体を加熱するように適合させられ、前記ヒータタンク内の前記第１の管の前記第２の端部は、前記ヒータタンク内に前記流体を引き込む、ヒートタンクと、
前記ヒータタンク内の前記流体の温度を測定するように適合させられた温度センサと、
前記温度センサおよび前記第１のポンプに通信可能に結合されたプロセッサであって、前記プロセッサは、前記流体の前記温度が前記第１の煎出チャンバに提供される前記流体の流速から独立して実質的に制御されるように、前記ヒータタンク内の前記流体の前記温度を調整し、かつ、前記第１のポンプの速度を調整することにより前記第１の管を通る前記流体の前記流速を調整するように適合させられる、プロセッサと
をさらに含む、請求項１〜５のいずれか１項に記載の煎出システム。
【請求項７】
前記煎出システムは、前記煎出システムを制御するように適合させられたプロセッサをさらに含み、前記煎出チャンバは、前記カートリッジ上の指示マークを読み取るように適合させられた読み取り機を含み、前記プロセッサは、前記カートリッジ上の前記指示マークを認証するように前記読み取り機に通信可能に結合され、前記プロセッサが、前記指示マークが真正ではないと判定する場合には、前記プロセッサは、前記煎出システムを起動しない、請求項１〜６のいずれか１項に記載の煎出システム。
【請求項８】
カートリッジシステムであって、前記カートリッジシステムは、前記カートリッジシステムを穿刺するように適合させられた出口針を有する煎出器を通して飲料を煎出し、かつ、前記出口針を通して前記飲料を流出させるように適合させられ、前記カートリッジシステムは、
基部および縁部を有するカップであって、側壁が、前記縁部と前記基部との間にある、カップと、
底部およびリムを有するフィルタであって、前記フィルタの前記リムは、前記カップの前記縁部に隣接して結合するように適合させられ、前記フィルタの前記底部は、前記カップの前記基部に並置され、前記フィルタは、前記煎出器の前記出口針による穿刺に対して実質的に抵抗性がある材料から形成され、それによって、前記カートリッジシステムが使用中であるときに、前記出口針が前記カップを貫通し、接触点で前記フィルタを上昇させ、前記フィルタが煎出プロセス中に前記出口針が貫通することに実質的に抵抗する、フィルタと
を備える、カートリッジシステム。
【請求項９】
前記フィルタの前記底部の一部分は、前記カップの前記基部と接触している、請求項８に記載のカートリッジシステム。
【請求項１０】
前記フィルタは、ナイロン材料で作製される、請求項８に記載のカートリッジシステム。
【請求項１１】
前記カップの前記基部と前記縁部との間の距離は、その長手方向軸に沿ってＫ−ｃｕｐ（登録商標）よりも実質的に長い、請求項８に記載のカートリッジシステム。
【請求項１２】
前記側壁は、その長手方向軸に沿って細長い空洞を有する、請求項８に記載のカートリッジシステム。
【請求項１３】
前記カップの前記基部は、前記空洞から延びる陥凹を有する、請求項１２に記載のカートリッジシステム。
【請求項１４】
前記カップは、Ｋ−ｃｕｐ（登録商標）と実質的に同様にサイズ決定される、請求項８に記載のカートリッジシステム。
【請求項１５】
前記フィルタの前記リムは、前記カップの前記縁部に隣接して密閉される、請求項８に記載のカートリッジシステム。
【手続補正２】
【補正対象書類名】明細書
【補正対象項目名】００２８
【補正方法】変更
【補正の内容】
【００２８】
本発明はまた、カートリッジから飲料を煎出する方法を含んでもよい。本方法は、いかなる特定の順番でなく、（１）真空ポンプの使用を通して等、管の入口端を通して所定量の流体を引き出すステップと、（２）管の出口端から、カートリッジを受け取って流体をカートリッジに注入するように適合させられた煎出チャンバへ、流体を移動させるステップと、（３）所定量の流体が管の出口端を通過した後に、空気を入口端と出口端との間で管に引き込むステップとを含んでもよい。管の出口端からの流体は、流体を加熱するように管ヒータを通過させられてもよく、次いで、加熱された流体は、煎出チャンバに渡されてもよい。管ヒータから退出する流体の温度は、管ヒータを通過する流体の流速を調整することによって、制御または調整されてもよい。
本願明細書は、例えば、以下の項目も提供する。
（項目１）
カートリッジシステムであって、前記カートリッジシステムは、前記カートリッジシステムを穿刺するように適合させられた出口針を有する煎出器を通して飲料を煎出し、かつ、前記出口針を通して前記飲料を流出させるように適合させられ、前記カートリッジシステムは、
基部および縁部を有するカップであって、側壁が、前記縁部と前記基部との間にある、カップと、
底部およびリムを有するフィルタであって、前記フィルタの前記リムは、前記カップの前記縁部に隣接して結合するように適合させられ、前記フィルタの前記底部は、前記カップの前記基部に並置され、前記フィルタは、前記煎出器の前記出口針による穿刺に対して実質的に抵抗性がある材料から形成され、それによって、前記カートリッジシステムが使用中であるときに、前記出口針が前記カップを貫通し、接触点で前記フィルタを上昇させ、前記フィルタが煎出プロセス中に前記出口針が貫通することに実質的に抵抗する、フィルタと
を備える、カートリッジシステム。
（項目２）
前記フィルタの前記底部の一部分は、前記カップの前記基部と接触している、項目１に記載のカートリッジシステム。
（項目３）
前記フィルタは、ナイロン材料で作製される、項目１に記載のカートリッジシステム。
（項目４）
前記カップの前記基部と前記縁部との間の距離は、その長手方向軸に沿ってＫ−ｃｕｐ（登録商標）よりも実質的に長い、項目１に記載のカートリッジシステム。
（項目５）
前記側壁は、その長手方向軸に沿って細長い空洞を有する、項目１に記載のカートリッジシステム。
（項目６）
前記カップの前記基部は、前記空洞から延びる陥凹を有する、項目５に記載のカートリッジシステム。
（項目７）
前記カップは、Ｋ−ｃｕｐ（登録商標）と実質的に同様にサイズ決定される、項目１に記載のカートリッジシステム。
（項目８）
前記フィルタの前記リムは、前記カップの前記縁部に隣接して密閉される、項目１に記載のカートリッジシステム。
（項目９）
飲料を煎出するように適合させられたカートリッジシステムであって、前記カートリッジシステムは、
基部および縁部を有するカップであって、前記縁部と前記基部との間の側壁が、その内側に内部空間を画定する、カップと、
フィルタであって、前記カップは、リムと底部とを有する前記フィルタを受け取るように適合させられ、前記フィルタの前記リムは、前記カップの前記縁部に隣接して結合するように適合させられ、前記フィルタは、第１のチャンバと第２のチャンバとの間で前記カップの前記内部空間を分割し、前記第１のチャンバは、前記カップの前記縁部を介してアクセス可能であり、前記第２のチャンバは、概して、前記フィルタの前記底部と前記カップの前記基部との間にあり、前記第１のチャンバは、第１の飲料粉末物を詰め、前記第２のチャンバは、第２の飲料粉末物を詰める、フィルタと
を備える、カートリッジシステム。
（項目１０）
前記第１の飲料粉末物は、コーヒー粉末物であり、前記第２の飲料粉末物は、クリーム粉末である、項目９に記載のカートリッジシステム。
（項目１１）
前記２の飲料粉末物は、インスタントクリーマ粉末である、前記項目のいずれか１項に記載のカートリッジシステム。
（項目１２）
前記第２の飲料粉末物は、パウチに詰められる、前記項目のいずれか１項に記載のカートリッジシステム。
（項目１３）
前記カップは、Ｋ−ｃｕｐ（登録商標）と実質的に同様にサイズ決定される、前記項目のいずれか１項に記載のカートリッジシステム。
（項目１４）
第１の飲料カートリッジおよび第２の飲料カートリッジを受け取るように適合させられたホルダであって、前記第２の飲料カートリッジは、前記第１の飲料カートリッジに対して、その長手方向軸に沿ってより長く、前記ホルダは、
縁部と、
たらい状部と、
前記縁部と前記たらい状部との間の側壁であって、前記側壁は、その内側にウェルを画定する、側壁と、
前記ウェル内の第１の出口針と、
前記ウェル内の第２の出口針であって、前記第１の出口針は、前記縁部と前記第２の出口針との間にあり、前記第１の出口針は、前記第１の飲料カートリッジを貫通するように適合させられ、前記第２の出口針は、前記第２の飲料カートリッジを貫通するように適合させられる、第２の出口針と
を備える、ホルダ。
（項目１５）
前記縁部と前記たらい状部との間の前記ウェル内にストッパ棚部をさらに含み、前記ストッパ棚部は、前記第１の出口針を支持する、項目１４に記載のホルダ。
（項目１６）
前記第２の出口針は、前記たらい状部から突出する、項目１４および１５のいずれか１項に記載のホルダ。
（項目１７）
前記ホルダは、Ｋｅｕｒｉｇ（登録商標）家庭用煎出器を提供されたカップホルダとサイズおよび形状が実質的に同様である、外側構成を有する、項目１４〜１６のいずれか１項に記載のホルダ。
（項目１８）
前記ホルダは、Ｋｅｕｒｉｇ（登録商標）家庭用煎出器の動作に干渉することなく、前記Ｋｅｕｒｉｇ（登録商標）家庭用煎出器を提供されたカップホルダと交換可能である、項目１４〜１７のいずれか１項に記載のホルダ。
（項目１９）
前記第１の出口針は、Ｋ−ｃｕｐ（登録商標）が前記ウェルに挿入されたときに前記Ｋ−ｃｕｐ（登録商標）の底部を貫通するように適合させられる、項目１４〜１８のいずれか１項に記載のホルダ。
（項目２０）
煎出システムであって、前記煎出システムは、カートリッジを受け取り、かつ、流体を前記カートリッジに注入することにより飲料を煎出するように適合させられ、前記煎出システムは、
前記流体をポンプ送出するように適合させられた第１のポンプと、
前記第１のポンプに流体的に結合された第１の煎出チャンバであって、前記第１の煎出チャンバは、前記カートリッジを受け取って前記流体を前記カートリッジに注入するように適合させられる、第１の煎出チャンバと、
第１の端部および第２の端部を有する第１の管であって、前記第１の端部は、前記第１のポンプに結合され、前記第１の管の前記第２の端部は、その中に前記流体を引き込むように適合させられる、第１の管と、
前記第１の管の一部分に結合された第１のスイッチであって、前記第１のスイッチは、第１の位置と第２の位置との間で移動可能であり、前記第１の位置では、前記第１の管の前記一部分は、雰囲気に対して閉鎖され、それによって、前記ポンプがオンであるときに、前記流体は、前記第１の管の前記第２の端部に引き込まれ、前記第２の位置では、前記第１の管の前記一部分は、前記雰囲気に対して開放され、それによって、前記ポンプがオンであるときに、空気が、前記第１の管の前記一部分に進入し、前記第１のポンプは、前記空気を前記第１の煎出チャンバに渡す、第１のスイッチと
を含む、煎出システム。
（項目２１）
前記煎出システムは、開口部を有するヒータタンクを含み、前記開口部は、空気が前記開口部を通過することを可能にし、前記ヒータタンクは、前記ヒータタンクの中の前記流体を加熱するように適合させられ、前記ヒータタンク内の前記第１の管の前記第２の端部は、前記ヒータタンク内に前記流体を引き込む、項目２０に記載の煎出システム。
（項目２２）
前記ヒータタンクは、前記ヒータタンク内の液体レベルを検出するように適合させられた第１のプローブおよび第２のプローブを有し、前記第１の管の前記第２の端部は、前記第１のプローブと前記第２のプローブとの間に位置し、前記第１のプローブは、前記煎出システムが使用中であるときに垂直軸に沿って前記第１の管の前記第２の端部の下方に位置し、前記第２のプローブは、前記垂直軸に沿った前記ヒータタンクの前記開口部の下方に位置することにより、前記ヒータタンク内の前記流体についての最大充填ラインを設定する、項目２０および２１のいずれか１項に記載の煎出システム。
（項目２３）
前記ヒータタンクは、前記ヒータタンク内の最大充填ラインまで前記流体を保持するように適合させられ、前記第１の管の前記一部分は、前記煎出システムが使用中であるときに垂直軸に沿って前記最大充填ラインの上方に位置する、項目２０〜２２のいずれか１項に記載の煎出システム。
（項目２４）
前記第１のポンプが前記第１の煎出チャンバを通して所定量の前記流体をポンプ送出している場合、前記スイッチは、前記第１の位置から前記第２の位置へ移動することにより、空気が前記第１の管の前記一部分に進入することを可能にし、前記空気を前記煎出チャンバに渡し、前記カートリッジから前記カートリッジの中の前記流体を実質的に放出する、項目２０〜２３のいずれか１項に記載の煎出システム。
（項目２５）
前記煎出システムは、第１の端部から第２の端部までの経路に沿って流動する前記流体を加熱するように適合させられた加熱要素を含み、前記経路の前記第１の端部は、前記第１のポンプに流体的に結合され、前記経路の前記第２の端部は、前記煎出チャンバに流体的に結合される、項目２０〜２４のいずれか１項に記載の煎出システム。
（項目２６）
前記加熱要素は、管ヒータである、項目２０〜２５のいずれか１項に記載の煎出システム。
（項目２７）
前記煎出システムは、前記流体を保持するように適合させられた貯留部を含み、前記第１の管の前記第２の端部は、前記貯留部から前記流体を引き出すように前記貯留部に流体的に結合される、項目２０〜２６のいずれか１項に記載の煎出システム。
（項目２８）
前記貯留部は、前記煎出システムが使用中であるときに垂直軸に沿って最大充填ラインまで前記流体を保持するように適合させられ、前記第１の管の前記一部分は、前記垂直軸に沿って前記最大充填ラインの上方に位置する、項目２０〜２７のいずれか１項に記載の煎出システム。
（項目２９）
前記煎出システムは、前記加熱要素の前記第１の端部に進入する前記流体の温度を監視するように適合させられた温度センサに通信可能に結合されたプロセッサを含み、前記プロセッサは、前記加熱要素に通信可能に結合され、前記加熱要素の前記第１の端部に進入する前記流体の前記温度が所定のレベルを上回る場合、前記プロセッサは、前記加熱要素の前記第２の端部から退出する前記流体の前記温度が実質的に所定の範囲内であるように、前記加熱要素への電力を周期的にオンにしオフにする、項目２０〜２８のいずれか１項に記載の煎出システム。
（項目３０）
前記煎出システムは、前記加熱要素の前記第１の端部に進入する前記流体の温度を監視するように適合させられた温度センサに通信可能に結合されたプロセッサを含み、前記プロセッサは、前記加熱要素に提供される電力を制御するように、前記加熱要素に通信可能に結合され、前記加熱要素の前記第１の端部に進入する前記流体の前記温度が所定のレベルを上回る場合、前記プロセッサは、前記加熱要素への前記電力をオフにする、項目２０〜３０のいずれか１項に記載の煎出システム。
（項目３１）
前記煎出システムは、前記加熱要素の前記第１の端部に進入する前記流体の温度を監視するように適合させられた温度センサに通信可能に結合されたプロセッサを含み、前記プロセッサは、前記加熱要素の前記第２の端部から退出する前記流体の前記温度が実質的に所定の範囲内であるように、前記加熱要素の前記第１の端部に進入する前記温度に応じて、前記第１のポンプの速度を調整するように前記第１のポンプに通信可能に結合される、項目２０〜３０のいずれか１項に記載の煎出システム。
（項目３２）
前記煎出システムは、前記加熱要素の前記第２の端部から退出する前記流体の温度を監視するように適合させられた温度センサに通信可能に結合されたプロセッサを含み、前記プロセッサは、前記加熱要素の前記第２の端部から退出する前記流体の前記温度が実質的に所定の範囲内であるように、前記加熱要素の前記第２の端部から退出する前記流体の前記温度に応じて、前記第１のポンプの速度を調整するように前記第１のポンプに通信可能に結合される、項目２０〜３１のいずれか１項に記載の煎出システム。
（項目３３）
前記第１のポンプは、直流真空ポンプである、項目２０〜３２のいずれか１項に記載の煎出システム。
（項目３４）
前記第１の煎出チャンバは、前記カートリッジを受け取るように適合させられたウェルとともに開口部を有するカートリッジホルダを含み、前記カートリッジホルダは、前記ウェル内に第１の針および第２の針を有し、前記第１の針は、前記開口部と前記第２の針との間にあり、前記第１の針は、第１のカートリッジの底部を穿刺するように適合させられ、前記第２の針は、前記第１のカートリッジに対して、その長手方向軸に沿ってより長い第２のカートリッジを穿刺するように適合させられる、項目２０〜３３のいずれか１項に記載の煎出システム。
（項目３５）
前記第１のカートリッジは、Ｋ−ｃｕｐ（登録商標）である、項目２０〜３４のいずれか１項に記載の煎出システム。
（項目３６）
前記煎出システムは、
前記流体をポンプ送出するように適合させられた第２のポンプと、
前記第２のポンプに流体的に結合された第２の煎出チャンバであって、前記第２の煎出チャンバは、前記カートリッジを受け取って前記流体を前記カートリッジに注入するように適合させられる、第２の煎出チャンバと、
第１の端部および第２の端部を有する第２の管であって、前記第１の端部は、前記第２のポンプに結合され、前記第２の管の前記第２の端部は、前記第２の管の中に前記流体を引き込むように適合させられる、第２の管と、
前記第２の管の一部分に結合された第２のスイッチであって、前記第２のスイッチは、第１の位置と第２の位置との間で移動可能であり、前記第１の位置では、前記第２の管の前記一部分は、前記ポンプがオンであるときに、前記流体が前記第２の管の前記第２の端部に引き込まれるように、雰囲気に対して閉鎖され、前記第２の位置では、前記第２の管の前記一部分は、前記ポンプがオンであるときに、空気が前記第２の管の前記一部分に進入し、かつ、前記第２のポンプが前記空気を前記第２の煎出チャンバに渡すように、前記雰囲気に対して開放している、第２のスイッチと、
ヒータタンクであって、前記ヒータタンクは、前記ヒータタンクの中の前記流体を加熱するように適合され、前記ヒータタンク内の前記第１の管の前記第２の端部および前記第２の管の前記第２の端部は、それぞれの第２の端部を通して前記流体を引き込む、ヒートタンクと
をさらに含む、項目２０〜３５のいずれか１項に記載の煎出システム。
（項目３７）
前記煎出システムは、
開口部を有するヒートタンクであって、前記開口部は、空気が前記開口部を通過することを可能にし、前記ヒートタンクは、前記ヒートタンクの中の前記流体を加熱するように適合させられ、前記ヒータタンク内の前記第１の管の前記第２の端部は、前記ヒータタンク内に前記流体を引き込む、ヒートタンクと、
前記ヒータタンク内の前記流体の温度を測定するように適合させられた温度センサと、
前記温度センサおよび前記第１のポンプに通信可能に結合されたプロセッサであって、前記プロセッサは、前記流体の前記温度が前記第１の煎出チャンバに提供される前記流体の流速から独立して実質的に制御されるように、前記ヒータタンク内の前記流体の前記温度を調整し、かつ、前記第１のポンプの速度を調整することにより前記第１の管を通る前記流体の前記流速を調整するように適合させられる、プロセッサと
をさらに含む、項目２０〜３６のいずれか１項に記載の煎出システム。
（項目３８）
前記煎出システムは、無線デバイスから温度設定および流速設定を受信するように適合させられた無線受信機をさらに含み、前記プロセッサは、前記無線デバイスからの前記温度設定および前記流速設定を用いて前記流体を前記煎出チャンバに提供するように、前記無線受信機に通信可能に結合される、項目２０〜３７のいずれか１項に記載の煎出システム。
（項目３９）
前記煎出システムは、前記煎出システムを制御するように適合させられたプロセッサをさらに含み、前記煎出チャンバは、前記カートリッジ上の指示マークを読み取るように適合させられた読み取り機を含み、前記プロセッサは、前記カートリッジ上の前記指示マークを認証するように前記読み取り機に通信可能に結合され、前記プロセッサが、前記指示マークが真正ではないと判定する場合には、前記プロセッサは、前記煎出システムを起動しない、項目２０〜３８のいずれか１項に記載の煎出システム。
（項目４０）
前記煎出システムは、プロセッサとメモリとをさらに含み、前記煎出チャンバは、前記カートリッジ上の指示マークを読み取るように適合させられた読み取り機を含み、前記プロセッサは、前記カートリッジ上の前記指示マークを読み取るように前記読み取り機に通信可能に結合され、前記プロセッサは、前記指示マークと対応して使用される前記カートリッジの在庫を保つように、前記指示マーク情報を前記メモリに提供する、項目２０〜３９のいずれか１項に記載の煎出システム。
（項目４１）
カートリッジから飲料を煎出する方法であって、前記方法は、
管の入口端を通して所定量の流体を引き込むことと、
前記管の出口端から、前記カートリッジを受け取って前記流体を前記カートリッジに注入するように適合させられた煎出チャンバへ、前記流体を渡すことと、
前記所定量の流体が前記管の前記出口端を通過した後に、空気を前記入口端と前記出口端との間で前記管に引き込むことと
を含む、方法。
（項目４２）
前記方法は、所定の温度まで前記流体を加熱することをさらに含み、前記管の前記入口端は、前記所定の温度まで加熱された前記流体を引き込む、項目４１に記載の方法。
（項目４３）
前記方法は、貯留部内に前記流体を貯蔵することをさらに含み、前記管の前記入口端は、前記貯留部から前記流体を引き込む、項目４１および４２のいずれか１項に記載の方法。
（項目４４）
前記管の前記出口端からの前記流体を加熱し、次いで、前記流体を前記煎出チャンバに渡すことをさらに含む、項目４１〜４３のいずれか１項に記載の方法。
（項目４５）
前記管の前記出口端から管ヒータに前記流体を通過させることにより前記流体を加熱し、前記加熱された流体を前記煎出チャンバに渡すことをさらに含む、項目４１〜４４のいずれか１項に記載の方法。
（項目４６）
前記管ヒータを通過する前記流体の流速を調整することにより、前記管ヒータから退出する前記流体の温度を調整することをさらに含む、項目４１〜４５のいずれか１項に記載の方法。
（項目４７）
前記方法は、
前記流体を最大充填ラインまで貯蔵するように適合させられた貯留部内に前記流体を貯蔵することと、
前記最大充填ラインの上方に前記管の一部分をルート設定することであって、空気を前記管に引き込む前記ステップは、前記管の前記一部分における、ことと
をさらに含む、項目４１〜４６のいずれか１項に記載の方法。
（項目４８）
認可カートリッジから飲料を煎出する方法であって、前記方法は、
認可指示マークを用いて前記カートリッジを標示することと、
前記カートリッジから飲料を煎出する前に、前記カートリッジ上の前記認可指示マークを認証することと
を含む、方法。
（項目４９）
前記認可指示マークは、バーコードである、項目４８に記載の方法。